(57)【要約】【課題】端末装置の利用者が無線基地局に接続できない場合に、接続失敗の原因がＳＳＩＤの入力ミスであるか否かがわかり、接続障害を速やかに解消できる。【解決手段】端末装置１は、無線基地局２を特定するＳＳＩＤを入力するＳＳＩＤ入力部１０１と、そのＳＳＩＤを無線基地局２に対して送信し、接続試行する入力ＳＳＩD通信部１０３と、接続試行の結果が失敗である場合に通信可能な無線基地局２からＳＳＩＤを受信する近隣ＳＳＩD取得部１０４と、受信したＳＳＩＤと入力されたＳＳＩＤとの類似度を算出するＳＳＩＤ類似度算出部１０６と、類似度と閾値とを比較し、入力したＳＳＩＤが入力ミスであるか否かを判定するＳＳＩＤの入力ミス判定部１０７と、ＳＳＩＤの入力ミス判定部１０７が入力ミスであると判定した場合に、入力ミスであることを端末装置１の利用者に通知するエラー通知部１０８とを有する。【選択図】図２
2010087913.tif 000002
【特許請求の範囲】
【請求項１】
接続試行する接続対象を特定する識別子を入力する入力部と、
前記入力部により入力された識別子を前記接続対象に対して送信し、前記接続対象との接続試行をする第１の通信部と、
前記接続試行の結果が失敗である場合に、通信可能な接続対象から前記通信可能な接続対象を特定する識別子を受信する第２の通信部と、
前記通信可能な接続対象から受信した識別子と前記入力部により入力された接続対象を特定する識別子との類似度を算出する算出部と、
前記類似度と閾値とを比較することにより、前記入力部により入力された接続対象を特定する識別子が入力ミスであるか否かを判定する判定部と、
前記判定部が入力ミスであると判定した場合に、入力ミスであることを端末装置の利用者に通知する通知部とを有する
端末装置。
【請求項２】
接続試行する接続対象を特定する識別子を入力する入力部と、
前記入力部により入力された識別子を前記接続対象に対して送信し、前記接続対象との接続試行をする第１の通信部と、
通信可能な接続対象から前記通信可能な接続対象を特定する識別子を受信する第２の通信部と、
前記接続試行の結果が失敗である場合に、前記通信可能な接続対象から受信した識別子と前記入力部により入力された接続対象を特定する識別子との類似度を算出する算出部と、
前記類似度と閾値とを比較することにより、前記入力部により入力された接続対象を特定する識別子が入力ミスであるか否かを判定する判定部と、
前記判定部が入力ミスであると判定した場合に、入力ミスであることを端末装置の利用者に通知する通知部とを有する
端末装置。
【請求項３】
前記判定部は、前記類似度と閾値とを比較することにより、前記第２の通信部により受信した前記通信可能な接続対象を特定する識別子の中から、前記入力部により入力された識別子と類似な識別子を求め、
前記通知部は、前記類似な識別子を通知することを特徴とする請求項１、又は請求項２記載の端末装置。
【請求項４】
前記算出部は、前記類似度を前記識別子の文字列のレーベンシュタイン距離を利用して算出することを特徴とする請求項１乃至請求項３いずれか１項記載の端末装置。
【請求項５】
前記接続対象が、無線基地局であり、
前記第１の通信部が、第１の無線インターフェースであり、
前記第２の通信部が、第２の無線インターフェースであることを特徴とする
請求項１乃至請求項４いずれか１項記載の端末装置。
【請求項６】
前記無線基地局が、ＩＥＥＥ８０２．１１規格の無線ネットワークの無線基地局であり、
前記識別子がＳＳＩＤであることを特徴とする
請求項１乃至請求項５いずれか１項記載の端末装置。
【請求項７】
前記接続対象が、前記端末装置が接続しているネットワーク上のリソースであり、
前記第１の通信部が、ＮｅｔＢＩＯＳ通信部であり、
前記第２の通信部が、利用可能なリソースの識別子取得部であり、
前記識別子が、ＮＥＴＢＩＯＳ名であることを特徴とする
請求項１乃至請求項４いずれか１項記載の端末装置。
【請求項８】
端末装置を制御するプログラムであって、
前記端末装置が接続試行する接続対象を特定する識別子を入力する入力機能と、
前記入力機能により入力された識別子を前記接続対象に対して送信し、前記接続対象との接続試行をする第１の通信機能と、
前記接続試行の結果が失敗である場合に、通信可能な接続対象から前記通信可能な接続対象を特定する識別子を受信する第２の通信機能と、
前記通信可能な接続対象から受信した識別子と前記入力機能により入力された接続対象を特定する識別子との類似度を算出する算出機能と、
前記類似度と閾値とを比較することにより、前記入力機能により入力された接続対象を特定する識別子が入力ミスであるか否かを判定する判定機能と、
前記判定機能が入力ミスであると判定した場合に、入力ミスであることを前記端末装置の利用者に通知する通知機能とを有する
プログラム。
【請求項９】
端末装置の通信方法であって、
前記端末装置が接続試行する接続対象を特定する識別子を入力するステップと、
前記入力するステップにより入力された識別子を前記接続対象に対して送信し、前記接続対象との接続試行をするステップと、
前記接続試行の結果が失敗である場合に、通信可能な接続対象から前記通信可能な接続対象を特定する識別子を受信するステップと、
前記通信可能な接続対象から受信した識別子と前記入力するステップにより入力された接続対象を特定する識別子との類似度を算出する算出するステップと、
前記類似度と閾値とを比較することにより、前記入力するステップにより入力された接続対象を特定する識別子が入力ミスであるか否かを判定するするステップと、
前記判定するステップにおいて、入力ミスであると判定された場合に、入力ミスであることを前記端末装置の利用者に通知するステップとを有する
通信方法。
【発明の詳細な説明】
【技術分野】
【０００１】
本発明は、無線ＬＡＮシステムに用いられる端末装置、通信方法及びプログラムに関する。
【背景技術】
【０００２】
ＩＥＥＥ８０２．１１規格の無線ＬＡＮシステムにおいては、無線ＬＡＮアクセスポイントは、識別子ＳＳＩＤにより特定されている。無線ＬＡＮアクセスポイントに接続するためには、端末装置の利用者は、端末装置に、接続を希望する無線ＬＡＮアクセスポイントのＳＳＩＤを入力して、無線ＬＡＮアクセスポイントに対して送信し、無線ＬＡＮアクセスポイントに認識されることにより無線ＬＡＮ接続することができる。したがって、端末装置の利用者が、端末装置に対して、接続を希望する無線ＬＡＮアクセスポイントのＳＳＩＤと異なるＳＳＩＤを入力した場合、端末装置は、無線ＬＡＮアクセスポイントに接続することができない（例えば、特許文献１参照。）このように、端末装置利用者が、ＳＳＩＤの入力ミスにより誤ったＳＳＩＤを入力し、無線ＬＡＮアクセスポイントに接続できないトラブルが増加している。
【０００３】
従来、端末装置が、無線ＬＡＮアクセスポイントへの接続が失敗した場合、接続が失敗した原因によらず、無線ＬＡＮアクセスポイントは、端末装置に対して、接続が失敗した旨を通知して、端末装置のユーザは、接続が失敗した旨をエラーとして認識していた。
【特許文献１】特開２００４−２３４２８６公報
【発明の開示】
【発明が解決しようとする課題】
【０００４】
したがって、端末装置のユーザは、接続が失敗した旨は認識できたが、無線ＬＡＮアクセスポイントへの接続の失敗した原因が、端末装置のユーザによるＳＳＩＤの入力ミスであるか、それ以外の原因、例えば、入力したＳＳＩＤにより特定される無線ＬＡＮアクセスポイントが存在しない等であるのかを認識することができなかった。その結果、端末装置は、無線ＬＡＮアクセスポイントへの接続ができないという障害を速やかに解消できない場合があった。
【０００５】
本発明は、端末装置のユーザが、接続対象の識別子（無線ＬＡＮアクセスポイントであれば、ＳＳＩＤ）を誤って入力したことが原因で、接続対象（例えば、無線ＬＡＮアクセスポイント）に接続できない場合に、接続対象への接続失敗の原因が、接続対象の識別子を誤って入力したことが原因であることを認識できるようにすることにより、接続対象への接続ができない障害を速やかに解消することができる端末装置を提供することを目的とする。
【課題を解決するための手段】
【０００６】
上記目的を達成するために、本発明の実施形態に係る端末装置は、接続試行する接続対象を特定する識別子を入力する入力部と、前記入力部により入力された識別子を前記接続対象に対して送信し、前記接続対象との接続試行をする第１の通信部と、前記接続試行の結果が失敗である場合に、通信可能な接続対象から前記通信可能な接続対象を特定する識別子を受信する第２の通信部と、前記通信可能な接続対象から受信した識別子と前記入力部により入力された接続対象を特定する識別子との類似度を算出する算出部と、前記類似度と閾値とを比較することにより、前記入力部により入力された接続対象を特定する識別子が入力ミスであるか否かを判定する判定部と、前記判定部が入力ミスであると判定した場合に、入力ミスであることを端末装置の利用者に通知する通知部とを有する。
【０００７】
又、本発明の実施形態に係る端末装置は、接続試行する接続対象を特定する識別子を入力する入力部と、前記入力部により入力された識別子を前記接続対象に対して送信し、前記接続対象との接続試行をする第１の通信部と、通信可能な接続対象から前記通信可能な接続対象を特定する識別子を受信する第２の通信部と、前記接続試行の結果が失敗である場合に、前記通信可能な接続対象から受信した識別子と前記入力部により入力された接続対象を特定する識別子との類似度を算出する算出部と、前記類似度と閾値とを比較することにより、前記入力部により入力された接続対象を特定する識別子が入力ミスであるか否かを判定する判定部と、前記判定部が入力ミスであると判定した場合に、入力ミスであることを端末装置の利用者に通知する通知部とを有する。
【０００８】
又、本発明の実施形態に係るプログラムは、端末装置を制御するプログラムであって、前記端末装置が接続試行する接続対象を特定する識別子を入力する入力機能と、前記入力機能により入力された識別子を前記接続対象に対して送信し、前記接続対象との接続試行をする第１の通信機能と、前記接続試行の結果が失敗である場合に、通信可能な接続対象から前記通信可能な接続対象を特定する識別子を受信する第２の通信機能と、前記通信可能な接続対象から受信した識別子と前記入力機能により入力された接続対象を特定する識別子との類似度を算出する算出機能と、前記類似度と閾値とを比較することにより、前記入力機能により入力された接続対象を特定する識別子が入力ミスであるか否かを判定する判定機能と、前記判定機能が入力ミスであると判定した場合に、入力ミスであることを前記端末装置の利用者に通知する通知機能とを有する。
【０００９】
又、本発明の実施形態に係る通信方法は、端末装置の通信方法であって、前記端末装置が接続試行する接続対象を特定する識別子を入力するステップと、前記入力するステップにより入力された識別子を前記接続対象に対して送信し、前記接続対象との接続試行をするステップと、前記接続試行の結果が失敗である場合に、通信可能な接続対象から前記通信可能な接続対象を特定する識別子を受信するステップと、前記通信可能な接続対象から受信した識別子と前記入力するステップにより入力された接続対象を特定する識別子との類似度を算出する算出するステップと、前記類似度と閾値とを比較することにより、前記入力するステップにより入力された接続対象を特定する識別子が入力ミスであるか否かを判定するするステップと、前記判定するステップにおいて、入力ミスであると判定された場合に、入力ミスであることを前記端末装置の利用者に通知するステップとを有する。
【発明の効果】
【００１０】
本発明の端末装置によれば、端末装置のユーザが、接続対象の識別子を誤って入力したことが原因で接続対象に接続できない場合に、接続失敗の原因が、識別子を誤って入力したことが原因であることを認識できるようにすることにより、接続対象への接続ができない障害を速やかに解消することできる。
【発明を実施するための最良の形態】
【００１１】
（第１の実施形態）
図１に第１の実施形態に係る無線通信システムを示すブロック図を示す。図２に第１の実施形態に係る端末装置１のブロック図を示す。
【００１２】
本実施形態に係る無線通信システムは、ＩＥＥE802．１１規格の無線通信システムであるとする。
【００１３】
本実施形態に係る無線通信システムは、図１に示されるように、無線ネットワーク３、３を構成する複数の無線基地局２、２と、端末装置１とを有する。各無線基地局２，２は、それぞれ固有の識別子を持つ。端末装置１からは、いずれの無線基地局２，２が接続対象となり得るが、実際には無線ネットワーク３のエリア内にある場合接続可能となる。
【００１４】
無線基地局２は、無線基地局２を特定する識別子であるＳＳＩＤをビーコン信号に含めて定期的に送信する。ここで、無線基地局２を特定するＳＳＩＤとは、無線基地局が構成するネットワークのＳＳＩDであるとする。そして、そのビーコン信号に含まれるＳＳＩDを指定して端末装置１が無線基地局２への接続を希望してきた場合に、無線基地局２は、端末装置１が、無線基地局２への接続を希望していると認識し、所定の手続きを行うことにより、端末装置１を無線基地局２へと接続させる装置である。
【００１５】
ここで、接続とは、端末装置１と無線基地局２との間で確立される通信関係を意味する。端末装置１が無線基地局２に接続することにより、端末装置１の認証手続きや、無線基地局２によるサービス提供など、端末装置１と無線基地局２との間で高度な通信が可能になる。
【００１６】
端末装置１は、図２に示されるように、ＳＳＩＤ入力部１０１と、入力ＳＳＩＤ記憶部１０２と、入力ＳＳＩＤ通信部１０３と近隣ＳＳＩＤ取得部１０４と、近隣ＳＳＩＤ記憶部１０５と、ＳＳＩＤ類似度算出部１０６と、ＳＳＩＤの入力ミス判定部１０７と、エラー通知部１０８を有する。
【００１７】
ＳＳＩＤ入力部１０１は、端末装置１の利用者が接続を希望する無線基地局２のＳＳＩD（以下、入力ＳSIDとする。）を入力する。例えば、端末装置１の利用者は、図３に示されるような画面を見て、キーボードを介して入力ＳＳＩＤを入力する。
【００１８】
また、入力ＳＳＩＤ記憶部１０２は、ＳＳＩＤ入力部１０１により入力された入力ＳＳＩＤを記憶する。
【００１９】
入力ＳＳＩＤ通信部１０３は、入力ＳＳＩＤ記憶部１０２に記憶された入力ＳＳＩＤを無線基地局２に対して送信する。ここで、入力ＳＳＩＤ通信部１０３は、ＩＥＥＥ８０２．１１に準ずる方式により通信を行う。
【００２０】
近隣ＳＳＩＤ取得部１０４は、アクティブスキャニングやパッシブスキャニングにより、通信可能な無線基地局２のＳＳＩＤを取得する。ここで、アクティブスキャニングとは、端末装置１が近隣ＳＳＩD取得部１０４により端末装置１の識別子が含まれる信号を送信し、後述する近隣ＳＳＩＤを取得する方法である。無線基地局２はこの端末装置１の識別子が含まれる信号を受信すると、自身のＳＳＩDを端末装置１に送信する。端末装置１は端末装置１の識別子が含まれる信号を送信した後、通信可能な無線基地局２のＳＳＩD（近隣ＳＳＩＤ）を受信することができる。一方、パッシブスキャニングとは、端末装置１が、近隣ＳＳＩＤ取得部１０４により、無線基地局２が定期的に送信するビーコン信号に含まれるＳＳＩＤを受信することにより、通信可能な無線基地局２のＳＳＩＤを取得する方法である。
【００２１】
尚、入力ＳＳＩＤ通信部１０３と近隣ＳＳＩＤ取得部１０４は、同一の無線ＬＡＮインターフェースに含まれていても、別の無線ＬＡＮインターフェースに含まれていても良い。
【００２２】
近隣ＳＳＩＤ記憶部１０５は、近隣ＳＳＩＤ通信部により取得した無線基地局２のＳＳＩＤ（以下、近隣ＳＳＩＤとする。）を記憶する。
【００２３】
ＳＳＩＤ類似度算出部１０６は、入力ＳＳＩＤ記憶部１０２が記憶する入力ＳＳＩＤと近隣ＳＳＩＤ記憶部１０５が記憶する端末装置１の通信可能な無線基地局２のＳＳＩＤ（近隣ＳＳＩＤ）とのＳＳＩＤ類似度を算出する。
【００２４】
ここで、ＳＳＩＤの類似度として、近隣ＳＳＩDと入力ＳＳＩDとの文字列のレーベンシュタイン距離を用いる。レーベンシュタイン距離とは、二つの文字列がどの程度異なっているかを示す数値である。具体的には、文字の挿入や削除、置換によって、一つの文字列を別の文字列に変形するのに必要な手順の最小回数である。従って、レーベンシュタイン距離はその値が小さいほど文字列の類似度が高いことを意味する。
【００２５】
ＳＳＩＤの入力ミス判定部１０７は、ＳＳＩＤ類似度算出部１０６により出されたＳＳＩＤ類似度と、事前に設定された類似度の閾値とを比較し、入力ＳＳＩＤ記憶部１０２に記憶されたＳＳＩＤに、入力ミスがあったか否かを判定する。例えば、ＳＳＩＤ類似度がレーベンシュタイン距離である場合，ＳＳＩＤの入力ミス判定部１０７は、近隣ＳＳＩＤの中で、一定の閾値よりレーベンシュタイン距離が小さいＳＳＩＤが存在する場合、ＳＳＩＤの入力ミスであると判定する。即ち、利用者が入力したＳＳＩＤに類似する近隣の無線基地局２の近隣ＳＳＩDが存在する場合、利用者が、その近隣の無線基地局２の近隣ＳＳＩDを入力する意図で、誤った入力ＳＳＩＤを入力した可能性があるからである。
【００２６】
エラー通知部１０８は、ＳＳＩＤの入力ミス判定部１０７による判定結果から、エラーの内容をユーザに通知する。即ち、エラー通知部１０８は、ＳＳＩＤの入力ミス判定部１０７がＳＳＩＤの入力ミスであると判定した場合、エラーの内容として、ＳＳＩＤの入力ミスであると通知する。一方、ＳＳＩＤの入力ミスでないと判定した場合、エラー通知部１０８は、例えば、何らかのエラーである旨のみ、又は、入力ＳＳＩＤに対応する無線基地局２が存在しない旨を通知する。
【００２７】
尚、エラー通知部１０８は、ＳＳＩＤの入力ミス判定部１０７により、入力ＳＳＩＤに類似する近隣ＳＳＩＤをＳＳＩＤの訂正候補としてユーザに提示しても良い。図４に、ＳＳＩＤの入力ミスである旨及びＳＳＩＤの訂正候補をエラー通知部１０８が通知する場合の、利用者が認識する画面に表示されるエラー通知の例を示す。又、図５、図６には、それぞれ、エラー通知部１０８が、入力ＳＳＩＤに対応する無線基地局２が存在しない旨、エラーである旨のみを通知する場合の、利用者が認識するエラー通知の例を示す。
【００２８】
次に、本実施形態に係る無線通信システムの動作方法について説明する。図７は、端末装置１の動作を示すフローチャートである。
【００２９】
まず、ＳＳＩＤ入力部１０１により、端末装置１の利用者が接続希望する無線基地局２のＳＳＩＤ（入力ＳＳＩＤ。）を入力する（Ｓ１０１）。
【００３０】
次に、入力ＳＳＩＤ通信部１０３は、ＳＳＩＤを含む信号を送信し、通信可能な無線基地局２に接続試行する（Ｓ１０２）。通信可能な無線基地局２は、その信号を受信し、入力ＳＳＩＤと無線基地局２のＳＳＩＤとが一致するか否かを判定する。一致すると判定した無線基地局２は、端末装置１に対して、一致することの情報を含めた信号を送信する。一方、一致しないと判定した無線基地局２は、端末装置１に対して一致しないことを含めた信号を送信するか、若しくは、信号を送信しない。
【００３１】
端末装置１は、一致することの情報を含めた信号を受信した場合（Ｓ１０３）、その後、所定の手続きをすることにより無線基地局２と接続する（Ｓ１０４）。
【００３２】
一方、一致することの情報を含めた信号を受信しなかった場合（Ｓ１０３）、端末装置１の近隣ＳＳＩＤ取得部１０４は、スキャニングを行うことにより、通信可能な無線基地局２のＳＳＩＤ（近隣ＳＳＩＤ）を取得する（Ｓ１０５）。近隣ＳＳＩＤ記憶部１０５は、取得した近隣ＳＳＩＤを記憶する。
【００３３】
次に、端末装置１のＳＳＩＤ類似度算出部１０６は、入力ＳＳＩＤと近隣ＳＳＩＤ、それぞれの文字列のレーベンシュタイン距離を求める（Ｓ１０６）。
【００３４】
次に、ＳＳＩＤの入力ミス判定部１０７は、事前に設定されたレーベンシュタイン距離の所定の閾値とＳＳＩＤ類似度算出部が求めたレーベンシュタイン距離とを比較し、入力ＳＳＩＤが入力ミスであるか否かを判定する（Ｓ１０７）。
【００３５】
エラー通知部１０８は、入力ミス判定部の判定に基づき、判定結果を通知する。入力ＳＳＩＤが入力ミスであると判定した場合、ＳＳＩＤのエラーの内容が、入力ミスである旨とレーベンシュタイン距離の閾値を下回った近隣ＳＳＩＤをＳＳＩＤの訂正候補として端末装置１の利用者に通知する（Ｓ１０８）。一方、入力ＳＳＩＤが入力ミスでないと判定した場合、エラー通知部１０８は、入力ＳＳＩＤに対応する無線基地局２が存在しない旨を通知する（Ｓ１０９）。
【００３６】
以上のように、本実施形態に係る端末装置１によれば、端末装置１の利用者が接続を希望する無線基地局２のＳＳＩＤを誤って入力したことが原因で無線基地局２に接続できない場合に、端末装置１の利用者は、無線基地局２への接続失敗の原因が、ＳＳＩＤを誤って入力したことが原因であることを認識でき、更に、ＳＳＩＤの訂正候補を取得することができる。その結果、端末装置１の利用者は、ＳＳＩＤを入力しなおすことにより、無線基地局２への接続障害を速やかに解消することできる。
【００３７】
なお、この端末装置１は、例えば、汎用のコンピュータ装置を基本ハードウェアとして用いることでも実現することが可能である。すなわち、ＳＳＩＤ入力部１０１と、入力ＳＳＩＤ記憶部１０２と、入力ＳＳＩD通信部１０３と、近隣ＳＳＩD取得部１０４と、近隣ＳＳＩＤ記憶部１０５と、ＳＳＩＤ類似度算出部１０６と、ＳＳＩＤの入力ミス判定部１０７と、エラー通知部１０８とは、上記のコンピュータ装置に搭載されたプロセッサにプログラムを実行させることにより実現することができる。このとき、端末装置１は、上記のプログラムをコンピュータ装置にあらかじめインストールすることで実現することで実現しても良いし、ＣＤ−ＲＯＭなどの記憶媒体に記憶して、あるいはネットワーク３を介して上記のプログラムを配布して、このプログラムをコンピュータ装置に適宜インストールすることで実現しても良い。また、入力ＳＳＩＤ記憶部１０２と近隣ＳＳＩＤ記憶部１０５は、上記のコンピュータ装置に内蔵あるいは外付けされたメモリ、ハードディスクもしくはＣＤ−Ｒ、ＣＤ−ＲＷ、ＤＶＤ−ＲＡＭ，ＤＶＤ−Ｒなどの記憶媒体などを適宜利用して実現することができる。
【００３８】
また、本実施形態においては、無線基地局２への接続に失敗した後に、端末装置１の近隣ＳＳＩＤ取得部１０４が、スキャニングを行うことにより、通信可能な無線基地局２のＳＳＩＤ（近隣ＳＳＩＤ）を取得し、ＳＳＩＤ類似度算出部１０６は、その近隣ＳＳＩＤと入力ＳＳＩＤとを比較して類似度を算出した。しかしながら、ＳＳＩＤ類似度算出部１０６は、例えば、無線基地局２への接続試行前から事前に取得し、近隣ＳＳＩＤ記憶部１０５に記憶していた近隣ＳＳＩＤを用いて類似度を算出しても良い。
【００３９】
また、本実施形態においては、ＳＳＩＤの入力ミス判定部１０７が、無線基地局２に接続できなかった原因が、ＳＳＩＤの入力ミスであると判定した場合、エラー通知部１０８が、入力ミスである旨とＳＳＩＤの訂正候補のＳＳＩＤを通知したが、更に、例えば、訂正候補とされるＳＳＩＤが１つである場合に、自動的に、そのＳＳＩＤを入力ＳＳＩＤに登録し、そのＳＳＩＤにより特定される無線基地局２への接続試行を行っても良い。  
また、本実施形態においては、無線通信システムは、ＩＥＥE802．１１規格の無線通信システムである場合について説明したが、無線通信システムは、ＩＥＥE802．１１規格の無線通信システムである場合に限られない。
【００４０】
（第２の実施形態）
次に、第２の実施形態に係る端末装置２００について説明する。
【００４１】
尚、第２の実施形態においては、端末装置２００の接続対象が、ネットワーク上のリソースである点、ネットワーク上のリソースを特定する識別子がＮＥＴＢＩＯＳ名である点、又、端末装置２００の通信部がＮＥＴＢＩＯＳである点が、第１の実施形態と異なる。
【００４２】
図８に第２の実施形態に係る端末装置２００のブロック図を示す。
【００４３】
本実施形態に係る通信システムは、ネットワーク上のリソースと（請求項１において、接続対象に対応。）と、ネットワーク上のリソースのＮＥＴＢＩＯＳ名を管理するＷＩＮSサーバと端末装置２００とを有する。
【００４４】
ネットワーク上のリソースは、端末装置２００が接続しているネットワーク上にあるコンピュータ等である。例えば、ネットワーク上のリソースとして、プリンター等がある。ネットワーク上のリソースは、リソースの識別子であるＮＥＴＢＩＯＳ名により特定される。ＮＥＴＢＩＯＳ名を有する端末装置２００がリソースへの接続を希望してきた場合、所定の手続きを行うことにより、端末装置２００のリソースへの接続を行う。
【００４５】
ここで、接続とは、端末装置２００とネットワーク上のリソースとの間で確立される通信関係を意味する。端末装置２００がネットワーク上のリソースに接続することにより、ネットワーク上のリソースによるサービス提供など、端末装置２００がネットワーク上のリソースとの間で高度な通信が可能となる。ここで、ネットワーク上のリソースが、プリンターである場合、ネットワーク上のリソースによるサービスは、端末装置２００が出力した情報をプリントアウトすることである。
【００４６】
また、ＷＩＮＳサーバは、ネットワーク上にあるリソースのＮＥＴＢＩＯＳ名を管理する装置である。
【００４７】
端末装置２００は、図８に示されるように、ＮＥＴＢＩＯＳ名入力部２０１と、入力ＮＥＴＢＩＯＳ名記憶部２０２と、入力ＮＥＴＢＩＯＳ通信部２０３と取得可能なＮＥＴＢＩＯＳ名取得部２０４と、取得可能なＮＥＴＢＩＯＳ名記憶部２０５と、ＮＥＴＢＩＯＳ名類似度算出部２０６と、ＮＥＴＢＩＯＳ名の入力ミス判定部２０７と、エラー通知部２０８とを有する。
【００４８】
入力ＮＥＴＢＩＯＳ通信部２０３は、入力ＮＥＴＢＩＯＳ名記憶部２０２に記憶されたＮＥＴＢＩＯＳ名を、端末装置２００が接続しているネットワーク上に送信する。
【００４９】
取得可能なＮＥＴＢＩＯＳ名取得部２０４は、ＷＩＮＳサーバにアクセスすることにより、ＷＩＮＳサーバが管理するネットワーク上にあるリソースのＮＥＴＢＩＯＳ名を取得する。
【００５０】
その他の、端末装置２００の構成要素、すなわち、ＮＥＴＢＩＯＳ名入力部２０１、入力ＮＥＴＢＩＯＳ名記憶部２０２、取得可能なＮＥＴＢＩＯＳ名記憶部２０５、ＮＥＴＢＩＯＳ名類似度算出部２０６、ＮＥＴＢＩＯＳ名の入力ミス判定部２０７エラー通知部２０８は、それぞれ、第１の実施形態の端末装置２００の構成要素であるＳＳＩＤ入力部１０１、入力ＳＳＩＤ記憶部１０２、近隣ＳＳＩＤ記憶部１０５、ＳＳＩD類似度算出部、ＳＳＩＤの入力ミス判定部１０７エラー通知部２０８と同様の機能を有し、ＳＳＩＤをＮＥＴＢＩＯＳ名に置き換えれば説明できるので、説明を省略する。
【００５１】
次に、本実施形態に係る端末装置２００を含めた通信システムの動作方法について説明する。
【００５２】
まず、ＮＥＴＢＩＯＳ名入力部２０１により、端末装置２００の利用者が接続希望するネットワーク上のリソースのＮＥＴＢＩＯＳ名（以下、入力ＮＥＴＢＩＯＳ名。）を入力する。
【００５３】
次に、入力ＮＥＴＢＩＯＳ通信部２０３は、入力ＮＥＴＢＩＯＳ名を含む信号を、端末装置２００が接続しているネットワークに送信し、ネットワーク上のリソースにアクセスする。ネットワーク上のリソースは、その信号を受信し、入力ＮＥＴＢＩＯＳ名とそのリソースのＮＥＴＢＩＯＳ名とが一致するか否かを判定する。一致すると判定したリソースは、端末装置２００に対して、一致することの情報を含めた信号を送信する。一方、一致しないと判定したリソースは、端末装置２００に対して一致しないことを含めた信号を送信するか、若しくは、信号を送信しない。
【００５４】
端末装置２００は、一致することの情報を含めた信号を受信した場合、その後、所定の手続きをすることによりネットワーク上のリソースと接続し、そのリソースの提供するサービスを実施する。
【００５５】
一方、一致することの情報を含めた信号を受信しなかった場合、端末装置２００の取得可能なＮＥＴＢＩＯＳ名取得部２０４は、ＷＩＮＳサーバにアクセスすることにより、ＷＩＮＳサーバが管理するＮＥＴＢＩＯＳ名（取得可能なＮＥＴＢＩＯＳ名）を取得する。取得可能なＮＥＴＢＩＯＳ名記憶部２０５は、取得した取得可能なＮＥＴＢＩＯＳ名を記憶する。
【００５６】
その後の端末装置２００の動作方法は、第１の実施形態の端末装置２００の動作方法において、入力ＳＳＩＤをＮＥＴＢＩＯＳ名に置き換えて、及び近隣ＳＳＩＤを取得可能なＮＥＴＢＩＯＳ名に置き換えれば、第１の実施形態の端末装置２００の動作と同様の説明ができるため、説明を省略する。
【００５７】
その後のプロセスを経て、端末装置２００の利用者は、ネットワーク上のリソースに接続できなかった原因が、ＮＥＴＢＩＯＳ名の入力ミスなのか、その他の原因かを特定することができる。また、ＮＥＴＢＩＯＳ名の入力ミスである場合には、入力したＮＥＴＢＩＯＳ名に類似するＮＥＴＢＩＯＳ名を取得することができる。その結果、端末装置２００の利用者は、ＮＥＴＢＩＯＳ名を入力しなおすことにより、ネットワーク上への接続障害を速やかに解消することできる。
【００５８】
なお、本発明は上記第1の実施形態及び第２の実施形態そのままに限定されるものではなく、実施段階ではその要旨を逸脱しない範囲で構成要素を変形して具体化できる。
【００５９】
例えば、第１の実施形態においては、通信部として、無線インターフェース部（入力ＳＳＩＤ通信部１０３、近隣ＳＳＩＤ取得部１０４）を用いて、第２の実施形態においては、ＮＥＴＢＩＯＳ通信部（入力ＮＥＴＢＩＯＳ通信部２０３、取得可能なＮＥＴＢＩＯＳ名取得部２０４）を用いたが、通信部としては、これらに限られない。例えば、有線インターフェース部を用いても良い。
【００６０】
また、第１の実施形態においては、端末装置２００の接続対象として、識別子がＳＳＩＤで無線基地局、第２の実施形態においては、識別子がＮＥＴＢＩＯＳ名であるネットワーク上のリソースとしたが、接続対象は、これらに限られない。また、識別子もＳＳＩＤとＮＥＴＢＩＯＳ名に限られない。
【００６１】
また、上記第1の実施形態及び第２の実施形態に開示されている複数の構成要素の適宜な組み合わせにより、種々の発明を形成できる。例えば、第1の実施形態及び第２の実施形態に示される全構成要素から幾つかの構成要素を削除してもよい。さらに、第1の実施形態及び第２の実施形態にわたる構成要素を適宜組み合わせてもよい。
【図面の簡単な説明】
【００６２】
【図１】第１の実施形態に係る無線通信システムを示すブロック図。
【図２】第１の実施形態に係る端末装置のブロック図。
【図３】第１の実施形態に係る端末装置のＳＳＩD入力時の入力画面の例を示す図。
【図４】第１の実施形態に係る端末装置のエラー通知部が、ＳＳＩＤの入力ミスである旨及びＳＳＩＤの訂正候補を通知する場合の出力画面の例を示す図。
【図５】第１の実施形態に係る端末装置のエラー通知部が、無線基地局が存在しない旨を通知する場合の出力画面の例を示す図。
【図６】第１の実施形態に係る端末装置のエラー通知部が、エラーである旨のみ通知する場合の出力画面の例を示す図。
【図７】第１の実施形態に係る端末装置の動作フローを示す図。
【図８】第２の実施形態に係る端末装置のブロック図。
【符号の説明】
【００６３】
１、    ２００・・・端末装置
２・・・無線基地局
３・・・ネットワーク
１０１・・・ＳＳＩＤ入力部
１０２・・・入力ＳＳＩＤ記憶部
１０３・・・入力ＳＳＩＤ通信部
１０４・・・近隣ＳＳＩＤ取得部
１０５・・・近隣ＳＳＩＤ記憶部
１０６・・・ＳＳＩＤ類似度算出部
１０７・・・ＳＳＩＤの入力ミス判定部
１０８、２０８・・・エラー通知部
２０１・・・ＮＥＴＢＩＯＳ名入力部
２０２・・・入力ＮＥＴＢＩＯＳ名記憶部
２０３・・・入力ＮＥＴＢＩＯＳ名通信部
２０４・・・取得可能なＮＥＴＢＩＯＳ名取得部
２０５・・・取得可能なＮＥＴＢＩＯＳ名記憶部
２０６・・・ＮＥＴＢＩＯＳ名類似度算出部
２０７・・・ＮＥＴＢＩＯＳ名の入力ミス判定部
【図１】
2010087913.tif 000003
【図２】
2010087913.tif 000004
【図３】
2010087913.tif 000005
【図４】
2010087913.tif 000006
【図５】
2010087913.tif 000007
【図６】
2010087913.tif 000008
【図７】
2010087913.tif 000009
【図８】
2010087913.tif 000010